【手続補正書】
【提出日】平成30年12月6日(2018.12.6)
【手続補正１】
【補正対象書類名】明細書
【補正対象項目名】発明の名称
【補正方法】変更
【補正の内容】
【発明の名称】無線周波数結合器及び双方向性無線周波数結合器
【手続補正２】
【補正対象書類名】特許請求の範囲
【補正対象項目名】全文
【補正方法】変更
【補正の内容】
【特許請求の範囲】
【請求項１】
無線周波数結合器であって、
電力入力ポート、電力出力ポート、結合ポート及び隔離ポートと、
前記電力入力ポート及び前記電力出力ポートに電気的に接続される主要送信ラインと、
前記結合ポート及び前記隔離ポートに電気的に接続される結合ラインと、
調整可能終端インピーダンスを与えるように構成された終端インピーダンス回路と
を含み、
前記終端インピーダンス回路は、第２バンクのスイッチ付きインピーダンスに直列に接続された第１バンクのスイッチ付きインピーダンスを含み、
前記第１バンクのスイッチ付きインピーダンス及び前記第２バンクのスイッチ付きインピーダンスはそれぞれが、互いに並列に接続された複数のスイッチ付きインピーダンスを含み、
各スイッチ付きインピーダンスは、受動インピーダンス素子に対して直列のスイッチを含み、
前記終端インピーダンス回路は、基準電位と前記無線周波数結合器の選択されたポートとの間に電気的に接続され、
前記選択されたポートは、前記隔離ポート及び前記結合ポートの一方である無線周波数結合器。
【請求項２】
前記選択されたポートは前記隔離ポートである請求項１の無線周波数結合器。
【請求項３】
前記終端インピーダンス回路はさらに前記結合ポートと前記基準電位との間に電気的に接続される請求項２の無線周波数結合器。
【請求項４】
記選択されたポートは前記結合ポートである請求項１の無線周波数結合器。
【請求項５】
前記複数のスイッチ付きインピーダンスの一つの前記受動インピーダンス素子は、抵抗器であり、前記複数のスイッチ付きインピーダンスの他の一つの前記受動インピーダンス素子はインダクタである請求項１の無線周波数結合器。
【請求項６】
前記複数のスイッチ付きインピーダンスの一つの前記受動インピーダンス素子はキャパシタであり、前記複数のスイッチ付きインピーダンスの他の一つの前記受動インピーダンス素子はインダクタである請求項１の無線周波数結合器。
【請求項７】
前記複数のスイッチ付きインピーダンスの一つの前記受動インピーダンス素子は抵抗器であり、前記複数のスイッチ付きインピーダンスの他の一つの前記受動インピーダンス素子はキャパシタである請求項１の無線周波数結合器。
【請求項８】
前記複数のスイッチ付きインピーダンスの少なくとも一つのスイッチは、動作のプロセス変動又は周波数帯域の少なくとも一方を示す制御信号に応答して状態を変化させるべく構成される請求項１の無線周波数結合器。
【請求項９】
前記終端インピーダンス回路は少なくとも一つの抵抗器、少なくとも一つのキャパシタ、及び少なくとも一つのインダクタを含む請求項１の無線周波数結合器。
【請求項１０】
前記基準電位はグランドである請求項１の無線周波数結合器。
【請求項１１】
無線周波数結合器であって、
電力入力ポート、電力出力ポート、結合ポート及び隔離ポートと、
調整可能終端インピーダンスを与えるべく構成された終端インピーダンス回路と
を含み、
前記終端インピーダンス回路は、第２バンクのスイッチ付きインピーダンスに直列に接続された第１バンクのスイッチ付きインピーダンスを含み、
前記第１バンクのスイッチ付きインピーダンス及び前記第２バンクのスイッチ付きインピーダンスはそれぞれが、互いに並列に接続された複数のスイッチ付きインピーダンスを含み、
各スイッチ付きインピーダンスは、受動インピーダンス素子に対して直列のスイッチを含み、
前記終端インピーダンス回路は、基準電位と、選択されたポートとの間に電気的に接続され、
前記選択されたポートは、前記隔離ポート又は前記結合ポートの一方であり、
前記複数のスイッチ付きインピーダンスの前記受動インピーダンス素子の少なくとも一つはキャパシタ又はインダクタの少なくとも一方を含む無線周波数結合器。
【請求項１２】
隔離スイッチをさらに含み、
前記隔離スイッチは、前記基準電位と前記選択されたポートとの間で前記終端インピーダンス回路に対して直列に配列される請求項１１の無線周波数結合器。
【請求項１３】
第１状態において前記結合ポートにおける順方向電力の表示を与えることと、第２状態において前記隔離ポートにおける反射電力の表示を与えることを行うべく構成される請求項１１の無線周波数結合器。
【請求項１４】
前記複数のスイッチ付きインピーダンスの少なくとも一つのスイッチは、動作のプロセス変動又は周波数帯域の少なくとも一方を示す制御信号に応答して状態を変化させるべく構成される請求項１１の無線周波数結合器。
【請求項１５】
前記基準電位はグランドである請求項１１の無線周波数結合器。
【請求項１６】
前記終端インピーダンス回路と前記隔離ポートとの間に設けられた隔離スイッチをさらに含む請求項１１の無線周波数結合器。
【請求項１７】
無線周波数結合器であって、
電力入力ポート、電力出力ポート、結合ポート及び隔離ポートと、
第２バンクのスイッチ付きインピーダンスに対して直列に接続された第１バンクのスイッチ付きインピーダンスを含む終端インピーダンス回路と
を含み、
前記第１バンクのスイッチ付きインピーダンス及び前記第２バンクのスイッチ付きインピーダンスはそれぞれが、互いに並列に接続された複数のスイッチ付きインピーダンスを含み、
各スイッチ付きインピーダンスは、受動インピーダンス素子に対して直列のスイッチを含み、
前記終端インピーダンス回路は、一以上の制御信号に応答して前記隔離ポートとグランドとの間に前記受動インピーダンス素子のサブセットを選択的に電気的に接続するように構成され、
前記受動インピーダンス素子のサブセットは、前記隔離ポートとグランドとの間に互いに直列に電気的に接続された２つの受動インピーダンス素子を含み、
前記２つの受動インピーダンス素子は、抵抗器又はインダクタの少なくとも一方を含む無線周波数結合器。
【請求項１８】
前記受動インピーダンス素子のサブセットは、抵抗器、キャパシタ又はインダクタの少なくとも２つを含む請求項１７の無線周波数結合器。
【請求項１９】
前記一以上の制御信号の少なくとも一つが、動作のプロセス変動又は周波数帯域の少なくとも一方を示す請求項１７の無線周波数結合器。
【請求項２０】
前記終端インピーダンス回路と前記隔離ポートとの間に設けられた隔離スイッチをさらに含む請求項１７の無線周波数結合器。
【請求項２１】
順方向電力状態及び逆方向電力状態を有する双方向性無線周波数結合器であって、
無線周波数信号を受信するべく構成された電力入力ポート、電力出力ポート、結合ポート、及び隔離ポートと、
前記電力入力ポートと前記電力出力ポートとの間に電気的に接続された主要送信ラインと、
前記結合ポートと前記隔離ポートとの間に電気的に接続された結合ラインであって、前記主要送信ライン及び前記結合ラインが一緒になって、順方向電力状態では前記結合ポートにおいて前記無線周波数信号の順方向電力の表示を与えることと、逆方向電力状態では前記隔離ポートにおいて前記無線周波数信号の逆方向電力の表示を与えることとを行うべく構成される結合ラインと、
調整可能終端インピーダンスを与えるべく構成された終端インピーダンス回路と、
前記順方向電力状態において前記終端インピーダンス回路を前記隔離ポートに電気的に接続することと、前記逆方向電力状態において前記終端インピーダンス回路を前記隔離ポートから隔離することとを行うべく構成された隔離スイッチ回路と、
メモリと、
前記メモリに及び前記終端インピーダンス回路に結合された制御回路であって、前記メモリに格納されたデータに基づいて前記調整可能終端インピーダンスを調整するべく構成される制御回路と
を含む双方向性無線周波数結合器。
【請求項２２】
第２調整可能終端インピーダンスを与えるべく構成された第２終端インピーダンス回路をさらに含み、
前記隔離スイッチ回路は、前記第２終端インピーダンス回路を前記結合ポートに選択的に電気的に接続することと、前記第２終端インピーダンス回路を前記結合ポートから選択的に電気的に隔離することとを行うべく構成される請求項２１の双方向性無線周波数結合器。
【請求項２３】
前記隔離スイッチ回路は、前記隔離スイッチ回路が前記隔離ポートを前記終端インピーダンス回路から隔離するときに前記終端インピーダンス回路を前記結合ポートに電気的に接続するべく構成される請求項２１の双方向性無線周波数結合器。
【請求項２４】
前記双方向性無線周波数結合器は、前記結合ラインが前記主要送信ラインから結合解除される結合解除状態を有する請求項２１の双方向性無線周波数結合器。
【請求項２５】
前記終端インピーダンス回路は、複数のスイッチ、及び複数の受動インピーダンス素子を含む請求項２１の双方向性無線周波数結合器。
【請求項２６】
前記制御回路は、前記無線周波数信号の周波数の表示に少なくとも部分的に基づいて前記調整可能終端インピーダンスを調整するべく構成される請求項２１の双方向性無線周波数結合器。
【請求項２７】
順方向電力状態及び逆方向電力状態を有する双方向性無線周波数結合器であって、
電力入力ポート、電力出力ポート、結合ポート及び隔離ポートと、
前記電力入力ポートと前記電力出力ポートとの間に電気的に接続された主要送信ラインと、
前記結合ポートと前記隔離ポートとの間に電気的に接続された結合ラインであって、前記主要送信ラインからの無線周波数信号の一部分を結合するべく構成された結合ラインと、
調整可能終端インピーダンスを与えるべく構成された終端インピーダンス回路と、
前記隔離ポートと前記終端インピーダンス回路との間に設けられた隔離スイッチであって、前記隔離スイッチは、前記隔離スイッチがオンになると前記結合ポートが、前記電力入力ポートから前記電力出力ポートへと進行する無線周波数電力の表示を与えるように前記隔離ポートを前記終端インピーダンス回路に電気的に接続するべく構成され、前記隔離スイッチは、前記隔離スイッチがオフになると前記隔離ポートを前記終端インピーダンス回路から電気的に隔離するべく構成される隔離スイッチと、
メモリと、
前記メモリに及び前記終端インピーダンス回路に結合された制御回路であって、前記メモリに格納されたデータに基づいて前記調整可能終端インピーダンスを調整するべく構成された制御回路と
を含む双方向性無線周波数結合器。
【請求項２８】
前記隔離スイッチは単極単投スイッチである請求項２７の双方向性無線周波数結合器。
【請求項２９】
前記隔離スイッチは直列・シャント・直列回路トポロジを含む請求項２７の双方向性無線周波数結合器。
【請求項３０】
第２調整可能終端インピーダンスを与えるべく構成された第２終端インピーダンス回路と、
第２隔離スイッチと
をさらに含み、
前記第２隔離スイッチは前記第２終端インピーダンス回路と前記結合ポートとの間に設けられる請求項２７の双方向性無線周波数結合器。
【請求項３１】
前記終端インピーダンス回路と前記結合ポートとの間に設けられた第２隔離スイッチをさらに含み、
前記第２隔離スイッチは、前記第２隔離スイッチがオンになると、前記隔離ポートが、前記電力出力ポートから前記電力入力ポートへ進行する無線周波数電力の表示を与えるように、前記結合ポートを前記終端インピーダンス回路に電気的に接続するべく構成され、
前記第２隔離スイッチは、前記第２隔離スイッチがオフになると、前記結合ポートを前記終端インピーダンス回路から電気的に隔離するべく構成される請求項２７の双方向性無線周波数結合器。
【請求項３２】
前記終端インピーダンス回路は、複数のスイッチ、及び複数の受動インピーダンス素子を含む請求項２７の双方向性無線周波数結合器。
【請求項３３】
前記隔離スイッチ及び前記複数のスイッチの少なくとも一つが前記複数の受動インピーダンス素子のそれぞれと前記隔離ポートとの間に直列にされる請求項３２の双方向性無線周波数結合器。
【請求項３４】
順方向電力状態及び逆方向電力状態を有する双方向性無線周波数結合器であって、
無線周波数信号を受信するべく構成された電力入力ポート、結合ポート、及び隔離ポートと、
前記電力入力ポートに電気的に接続された主要送信ラインと、
前記結合ポートと前記隔離ポートとの間に電気的に接続された結合ラインであって、前記主要送信ラインからの前記無線周波数信号の一部分を結合するように構成された結合ラインと、
調整可能終端インピーダンスを与えるべく構成された終端インピーダンス回路と、
前記終端インピーダンス回路を前記双方向性無線周波数結合器の選択されたポートに選択的に電気的に接続することと、前記終端インピーダンス回路を前記双方向性無線周波数結合器の前記選択されたポートから電気的に隔離することとを行うように構成された隔離スイッチ回路であって、前記選択されたポートは前記隔離ポート又は前記結合ポートである隔離スイッチ回路と、
メモリと、
前記メモリに及び前記終端インピーダンス回路に結合された制御回路と
を含み、
前記双方向性無線周波数結合器は、順方向電力状態で前記結合ポートにおいて前記無線周波数信号の順方向無線周波数電力の表示を与えることと、逆方向電力状態で前記隔離ポートにおいて前記無線周波数信号の逆方向無線周波数電力の表示を与えることとを行うべく構成され、
前記制御回路は、前記メモリに格納されたデータに基づいて前記調整可能終端インピーダンスを調整するべく構成される双方向性無線周波数結合器。
【請求項３５】
第２調整可能終端インピーダンスを与えるべく構成された第２終端インピーダンス回路をさらに含み、
前記選択されたポートは前記隔離ポートであり、
前記隔離スイッチ回路は、前記第２終端インピーダンス回路を前記結合ポートに選択的に電気的に接続することと、前記第２終端インピーダンス回路を前記結合ポートから選択的に電気的に接続することとを行うべく構成される請求項３４の双方向性無線周波数結合器。
【請求項３６】
前記選択されたポートは前記隔離ポートであり、
前記隔離スイッチ回路はさらに、前記隔離スイッチ回路が前記隔離ポートを前記終端インピーダンス回路から隔離すると、前記終端インピーダンス回路を前記結合ポートに電気的に接続するべく構成される請求項３４の双方向性無線周波数結合器。
【請求項３７】
前記制御回路は、前記無線周波数信号の周波数の表示に少なくとも部分的に基づいて前記調整可能終端インピーダンスを調整するべく構成される請求項３４の双方向性無線周波数結合器。
【請求項３８】
前記終端インピーダンス回路は、前記隔離スイッチ回路と受動インピーダンス素子との間に設けられたスイッチを含む請求項３４の双方向性無線周波数結合器。
【請求項３９】
前記終端インピーダンス回路は、少なくとも２つのスイッチ、及び少なくとも２つの受動インピーダンス素子を含み、
前記２つのスイッチ及び前記２つの受動インピーダンス素子は、前記隔離スイッチ回路とグランドとの間に直列に設けられる請求項３４の双方向性無線周波数結合器。
【請求項４０】
前記終端インピーダンス回路は、
互いに並列に設けられた複数のスイッチのスイッチバンクと、
受動インピーダンス素子と
を含み、
前記スイッチバンクの各スイッチは、前記隔離スイッチ回路と前記受動インピーダンス素子の各受動インピーダンス素子との間に設けられる請求項３４の双方向性無線周波数結合器。
【請求項４１】
無線周波数結合器であって、
電力入力ポート、電力出力ポート、結合ポート及び隔離ポートと、
前記電力入力ポートと前記電力出力ポートとの間に電気的に接続されて前記電力入力ポートからの無線周波数信号を前記電力出力ポートへと向けるべく構成された主要送信ラインと、
第１セクション、第２セクション及び第３セクションを有する多数セクション結合ラインであって、前記結合ポートと前記隔離ポートとの間に電気的に接続された多数セクション結合ラインと、
少なくとも第１状態及び第２状態へと構成可能なスイッチネットワークであって、前記スイッチネットワークは、前記第１状態において終端インピーダンスを前記隔離ポートに電気的に接続するべく構成され、前記スイッチネットワークは、前記第２状態において前記多数セクション結合ラインを前記主要送信ラインから結合解除するべく構成され、前記多数セクション結合ラインは、前記スイッチネットワークが前記第１状態になることに応答して前記結合ポートに結合信号を与えるべく、前記主要送信ラインからの前記無線周波数信号の一部分を電磁気的に結合するように構成されるスイッチネットワークと、
前記多数セクション結合ラインの有効長さを調整することと、前記スイッチネットワークが前記第２状態となることに応答して前記多数セクション結合ラインの２つの隣接セクションを電気的に隔離することとを行うべく構成された少なくとも一つの結合係数スイッチと
を含む無線周波数結合器。
【請求項４２】
前記結合係数スイッチは、前記スイッチネットワークが前記第２状態で動作している間、前記多数セクション結合ラインの２つの隣接セクションを電気的に隔離するように構成される請求項４１の無線周波数結合器。
【請求項４３】
前記スイッチネットワークは、前記隔離ポートに電気的に接続された前記終端インピーダンスを調整するべく構成される請求項４１の無線周波数結合器。
【請求項４４】
前記スイッチネットワークは、選択された周波数帯域を示す信号に応答して前記隔離ポートに電気的に接続された前記終端インピーダンスを調整するべく構成される請求項４１の無線周波数結合器。
【請求項４５】
前記スイッチネットワークを前記第１状態から前記第２状態へと遷移させるべく構成された制御回路をさらに含む請求項４１の無線周波数結合器。
【請求項４６】
制御信号に少なくとも部分的に基づいて、前記隔離ポートに電気的に接続された前記終端インピーダンスを調整するべく構成された制御回路をさらに含む請求項４１の無線周波数結合器。
【請求項４７】
前記制御信号は、動作の電力モード又は周波数帯域の少なくとも一方を示す請求項４６の無線周波数結合器。
【請求項４８】
接続ノードを有する終端インピーダンス回路をさらに含み、
前記スイッチネットワークは第３状態に構成可能であり、
前記スイッチネットワークは前記第１状態において前記終端インピーダンスを前記隔離ポートに電気的に接続するべく前記隔離ポートを前記接続ノードに電気的に接続するように構成され、
前記スイッチネットワークは第３状態において前記接続ノードを前記結合ポートに電気的に接続するように構成される請求項４１の無線周波数結合器。
【請求項４９】
前記終端インピーダンスは、少なくとも２つのスイッチと、前記隔離ポート及び基準電位間に直列の少なくとも２つの受動インピーダンス素子とによって実装される請求項４１の無線周波数結合器。
【請求項５０】
無線周波数結合器であって、
電力入力ポート、電力出力ポート、結合ポート及び隔離ポートと、
前記電力入力ポートと前記電力出力ポートとの間に電気的に接続されて前記電力入力ポートからの無線周波数信号を前記電力出力ポートへと向けるべく構成された主要送信ラインと、
第１セクション、第２セクション及び第３セクションを有する多数セクション結合ラインであって、前記結合ポートと前記隔離ポートとの間に電気的に接続された多数セクション結合ラインと、
少なくとも第１状態及び第２状態へと構成可能なスイッチネットワークであって、前記スイッチネットワークは、前記第１状態において終端インピーダンスを前記隔離ポート又は前記結合ポートの一方に電気的に接続するべく構成され、前記スイッチネットワークは、前記第２状態において前記多数セクション結合ラインを前記主要送信ラインから結合解除するべく構成され、前記多数セクション結合ラインは、前記スイッチネットワークが前記第１状態になることに応答して前記結合ポートに結合信号を与えるべく、前記主要送信ラインからの前記無線周波数信号の一部分を電磁気的に結合するように構成されるスイッチネットワークと、
前記多数セクション結合ラインの有効長さを調整することと、前記スイッチネットワークが前記第２状態となることに応答して前記多数セクション結合ラインの２つの隣接セクションを電気的に隔離することとを行うべく構成された少なくとも一つの結合係数スイッチと
を含む無線周波数結合器。
【請求項５１】
前記スイッチネットワークは第３状態へと構成可能であり、
前記スイッチネットワークは、前記第３状態において他の終端インピーダンスを前記隔離ポート又は前記結合ポートの他方に電気的に接続するべく構成される請求項５０の無線周波数結合器。
【請求項５２】
前記スイッチネットワークは第３状態へと構成可能であり、
前記スイッチネットワークは前記第３状態において前記終端インピーダンスを前記隔離ポート又は前記結合ポートの他方に電気的に接続するべく構成される請求項５０の無線周波数結合器。
【請求項５３】
前記終端インピーダンスをさらに含む請求項５０の無線周波数結合器。
【請求項５４】
前記スイッチネットワークと通信する制御回路をさらに含み、
前記制御回路は、前記第１状態から前記第２状態へと遷移させるべく前記スイッチネットワークを制御するように構成される請求項５０の無線周波数結合器。
【請求項５５】
前記無線周波数結合器を封入するパッケージを含むパッケージ状モジュールとして構成される請求項５０の無線周波数結合器。
【請求項５６】
オンになると前記第１セクションを前記第２セクションに電気的に接続することと、オフになると前記第１セクションを前記第２セクションから電気的に結合解除することとを行うべく構成された結合係数スイッチをさらに含む請求項５０の無線周波数結合器。
【請求項５７】
無線周波数結合器であって、
電力入力ポート、電力出力ポート、結合ポート及び隔離ポートと、
前記電力入力ポート及び前記電力出力ポートを電気的に接続する主要送信ラインと、
第１セクション、第２セクション及び第３セクションを有する多数セクション結合ラインであって、前記結合ポートと前記隔離ポートとの間に電気的に接続された多数セクション結合ラインと、
スイッチネットワークと、
前記スイッチネットワークを制御して前記多数セクション結合ラインの２つの隣接セクションを電気的に隔離することと、前記多数セクション結合ラインを前記主要送信ラインから結合解除するべく第１動作モードにおいて前記隔離ポート及び前記結合ポートを一以上の終端インピーダンスから電気的に結合解除することとを行うように構成された制御回路と
を含み、
前記制御回路はさらに、前記電力入力ポート及び前記電力出力ポート間を進行する無線周波数信号の電力の表示を与えるべく第２動作モードにおいて前記スイッチネットワークを制御して前記結合ポート又は前記隔離ポートの少なくとも一方を前記一以上の終端インピーダンスの少なくとも一つに電気的に接続するように構成され、
前記多数セクション結合ラインは、前記第２動作モードにおいて前記主要送信ラインからの前記無線周波数信号の一部分を電磁気的に結合するように構成される無線周波数結合器。
【請求項５８】
前記制御回路は、前記第２動作モードにおいて前記スイッチネットワークを制御して前記隔離ポートを前記一以上の終端インピーダンスの前記一つに電気的に接続するべく構成され、
前記無線周波数信号の電力の表示は、前記電力入力ポートから前記電力出力ポートへと進行する順方向無線周波数電力を代表する請求項５７の無線周波数結合器。
【請求項５９】
前記制御回路は、第３動作モードにおいて前記電力出力ポートから前記電力入力ポートへと進行する前記無線周波数信号の電力の表示を与えるべく、前記スイッチネットワークを制御して前記結合ポートを前記一以上の終端インピーダンスの他の一つに電気的に接続するように構成される請求項５８の無線周波数結合器。
【請求項６０】
前記制御回路は、動作の電力モード又は周波数帯域の少なくとも一方に応答して前記スイッチネットワークを制御するべく構成される請求項５７の無線周波数結合器。
【請求項６１】
無線周波数結合器であって、
電力入力ポート、電力出力ポート、結合ポート及び隔離ポートと、
前記電力入力ポートと前記電力出力ポートとの間に電気的に接続された主要送信ラインと、
第１セクション、第２セクション及び第３セクションを有する多数セクション結合ラインであって、前記多数セクション結合ラインの有効長さが、前記結合ポートと前記隔離ポートとの間に電気的に接続された前記多数セクション結合ラインの長さであり、前記多数セクション結合ラインは、前記結合ポートに結合電力を与えるべく、前記電力入力ポートと前記電力出力ポートとの間を進行する無線周波数電力の一部分を電磁気的に結合するように構成される多数セクション結合ラインと、
前記多数セクション結合ラインの前記第１セクションと前記第２セクションとの間に直列に設けられ、前記多数セクション結合ラインの前記有効長さを、前記第１セクションを前記第２セクションに選択的に電気的に接続することにより調整するべく構成された第１スイッチと、
前記多数セクション結合ラインの前記第２セクションと前記第３セクションとの間に直列に設けられ、前記多数セクション結合ラインの前記有効長さを、前記第３セクションを前記第１セクション及び前記第２セクションの一方に選択的に電気的に接続することによりさらに調整するべく構成された第２スイッチと
を含む無線周波数結合器。
【請求項６２】
前記隔離ポートに結合された終端インピーダンスをさらに含む請求項６１の無線周波数結合器。
【請求項６３】
前記多数セクション結合ラインの前記第１セクションに電気的に結合可能な第１終端インピーダンス素子と、
前記多数セクション結合ラインの前記第２セクションに電気的に結合可能な第２終端インピーダンス素子と
をさらに含む請求項６１の無線周波数結合器。
【請求項６４】
前記多数セクション結合ラインの前記第１セクションに電気的に結合可能な調整可能終端インピーダンス回路をさらに含み、
前記調整可能終端インピーダンス回路は、終端インピーダンスを前記多数セクション結合ラインの前記第１セクションに与えるべく構成される請求項６１の無線周波数結合器。
【請求項６５】
調整可能終端インピーダンス回路及びスイッチネットワークをさらに含み、
前記スイッチネットワークは、前記調整可能終端インピーダンス回路を前記多数セクション結合ラインの前記第１セクションに選択的に電気的に結合することと、前記調整可能終端インピーダンス回路を前記多数セクション結合ラインの前記第２セクションに選択的に電気的に結合することとを行うべく構成される請求項６１の無線周波数結合器。
【請求項６６】
前記主要送信ラインは、前記電力入力ポート及び前記電力出力ポートを電気的に接続する連続導電構造物によって実装される請求項６１の無線周波数結合器。
【請求項６７】
さらに、前記電力入力ポート及び前記電力出力ポートを電気的に接続する前記主要送信ラインから前記多数セクション結合ラインの各セクションが結合解除される結合解除状態において動作するべく構成される請求項６１の無線周波数結合器。
【請求項６８】
前記無線周波数結合器を、順方向電力の表示を与える第１状態へと構成し、反射電力の表示を与える第２状態へと構成するように配列されたスイッチネットワークをさらに含む請求項６１の無線周波数結合器。
【請求項６９】
前記第１スイッチ及び前記第２スイッチの状態を調整するべく構成された制御回路をさらに含む請求項６１の無線周波数結合器。
【請求項７０】
第１状態において前記多数セクション結合ラインの前記第１セクションの第１端に第１インピーダンス素子を電気的に結合するとともに前記多数セクション結合ラインの前記第１セクションの第２端に前記結合ポートを結合することと、第２状態において前記多数セクション結合ラインの前記第２セクションの第１端に第２インピーダンス素子を電気的に結合するとともに前記多数セクション結合ラインの前記第２セクションの第２端を前記結合ポートに電気的に結合することとを行うべく構成されたスイッチネットワークをさらに含む請求項６１の無線周波数結合器。
【請求項７１】
前記無線周波数結合器を封入するパッケージをさらに含む請求項６１の無線周波数結合器。
【請求項７２】
前記電力入力ポート及び前記電力出力ポートの一方と通信するアンテナスイッチモジュールをさらに含み、
前記アンテナスイッチモジュールは前記パッケージの中に封入される請求項７１の無線周波数結合器。
【請求項７３】
無線周波数信号を前記アンテナスイッチモジュールに与えるべく構成された電力増幅器をさらに含み、
前記電力増幅器は前記パッケージの中に封入される請求項７２の無線周波数結合器。
【請求項７４】
無線周波数結合器であって、
電力入力ポート、電力出力ポート、及び前記電力入力ポートと前記電力出力ポートとの間を進行する無線周波数信号の電力の表示を与えるべく構成されたポートと、
前記電力入力ポートと前記電力出力ポートとの間に電気的に接続された主要送信ラインと、
第１セクション、第２セクション及び第３セクションを有する多数セクション結合ラインであって、前記多数セクション結合ラインの有効長さが、前記電力の表示を与えるべく構成された前記ポートと終端インピーダンスとの間に電気的に接続された前記多数セクション結合ラインの長さであり、前記多数セクション結合ラインは、前記電力の表示を与えるべく前記無線周波数信号の一部分を電磁気的に結合するように構成される多数セクション結合ラインと、
前記多数セクション結合ラインの前記第１セクションと前記第２セクションとの間に直列に設けられ、前記多数セクション結合ラインの前記有効長さを、前記第１セクションを前記第２セクションに選択的に電気的に接続することにより調整するべく構成された第１スイッチと、
前記多数セクション結合ラインの前記第２セクションと前記第３セクションとの間に直列に設けられ、前記多数セクション結合ラインの前記有効長さを、前記第３セクションを前記第１セクション及び前記第２セクションの一方に選択的に電気的に接続することによりさらに調整するべく構成された第２スイッチと
を含む無線周波数結合器。
【請求項７５】
前記無線周波数結合器は結合ポートを含み、
前記結合ポートは、電力の表示を与えるように構成され、
前記電力の表示は、前記電力入力ポートから前記電力出力ポートへと進行する電力の表示である請求項７４の無線周波数結合器。
【請求項７６】
前記無線周波数結合器は隔離ポートを含み、
前記隔離ポートは、前記電力の表示を与えるように構成され、
前記電力の表示は、前記電力出力ポートから前記電力入力ポートへと進行する電力を示す請求項７４の無線周波数結合器。
【請求項７７】
調整可能終端インピーダンス回路及びスイッチネットワークをさらに含み、
前記スイッチネットワークは、前記調整可能終端インピーダンス回路を前記多数セクション結合ラインの前記第１セクションに選択的に電気的に結合することと、前記調整可能終端インピーダンス回路を前記多数セクション結合ラインの前記第２セクションに選択的に電気的に結合することとを行うべく構成される請求項７４の無線周波数結合器。
【請求項７８】
前記無線周波数信号の順方向電力の表示を与えるべく前記無線周波数結合器を第１状態へと構成することと、前記無線周波数信号の反射電力の表示を与えるべく第２状態へと構成することとを行うように配列されたスイッチネットワークをさらに含む請求項７４の無線周波数結合器。
【請求項７９】
無線周波数結合器であって、
電力入力ポート、電力出力ポート及び結合ポートと、
互いに選択的に電気的に接続可能な第１セクション、第２セクション及び第３セクションを有し、前記結合ポートと終端インピーダンスとの間に電気的に接続されて調整可能有効長さを与える多数セクション結合ラインであって、前記第１セクション、前記第２セクション及び前記第３セクションはそれぞれが前記無線周波数結合器の結合係数に選択的に寄与する多数セクション結合ラインと、
無線周波数信号の順方向電力の表示を与えるべく前記無線周波数結合器を第１状態へと構成することと、前記無線周波数信号の反射電力の表示を与えるべく第２状態へと構成することとを行うように配列されたスイッチネットワークと
を含む無線周波数結合器。
【請求項８０】
前記多数セクション結合ラインの各セクションが前記結合ポートに選択的に電気的に結合可能である請求項７９の無線周波数結合器。
【請求項８１】
前記無線周波数結合器はさらに、前記多数セクション結合ラインの２つの隣接セクション間に設けられたスイッチを含み、
前記スイッチは、制御信号に応答して前記２つの隣接セクションを互いに選択的に電気的に結合するべく構成される請求項８０の無線周波数結合器。
【請求項８２】
前記終端インピーダンスは、スイッチネットワークを含む調整可能終端インピーダンス回路であり、
前記スイッチネットワークは、前記調整可能終端インピーダンス回路を前記多数セクション結合ラインの前記第１セクションに選択的に電気的に結合することと、前記調整可能終端インピーダンス回路を前記多数セクション結合ラインの前記第２セクションに選択的に電気的に結合することとを行うべく構成される請求項７９の無線周波数結合器。